(57)【要約】【課題】柱の巾を小さくして柱形が室内、屋外に露出しないようにできるようにしたものにおいて、柱と梁の間に架設される梁や、梁間に架設される梁として柱間に架設される梁と同一長さの梁を共通して使用できる。【解決手段】梁巾Ｍ１よりも外側面部の巾Ｍ２が小さい柱２と、該柱２の外側面部に梁１の長手方向の端面部を接合してなる架構体の構造である。柱２の外側面部の上下方向における梁１と同じ高さ位置に補強プレート３を固着する。柱２の中心Ｏから補強プレート３の外面までの寸法Ｍ３を梁巾Ｍ１の１／２とする。柱２の外側面部に固着した補強プレート３の外面に梁１の端面部を当接して固着する。【選択図】        図１
2004346698.tif 000002
【特許請求の範囲】
【請求項１】
梁巾よりも外側面部の巾が小さい柱と、該柱の外側面部に梁の長手方向の端面部を接合してなる架構体の構造において、柱の外側面部の上下方向における梁と同じ高さ位置に補強プレートを固着し、柱の中心から補強プレートの外面までの寸法を梁の巾の１／２とし、柱の外側面部に固着した補強プレートの外面に梁の端面部を当接して固着して成ることを特徴とする架構体の構造。
【請求項２】
柱が角形鋼管により構成され、柱の四外側面部の上下方向における梁と同じ高さ位置に補強プレートが固着してあることを特徴とする請求項１記載の架構体の構造。
【発明の詳細な説明】
【０００１】
【発明の属する技術分野】
本発明は、梁巾よりも外側面部の巾が小さい柱と、該柱の外側面部に梁の長手方向の端面部を接合してなる架構体の構造に関するものである。
【０００２】
【従来の技術】
従来から柱形を室内あるいは屋外に露出しないようにするために構造上許容できる範囲で柱２の外側面部の巾Ｍ２を小さくし、柱２の外側面部の梁接合部分のみを補強プレート３で補強して上記柱２の外側面部の巾Ｍ２よりも巾が広い梁１（梁巾Ｍ１）の端面部を当接してボルト７により固着して取付けることが行われている。（例えば、特許文献１参照）
ところで、上記特許文献１に示された従来例は、図８に示すように、柱２の中心から補強プレート３の外面までの寸法Ｍ３＞梁巾Ｍ１の１／２という関係であるため、例えば、図９のように柱２間に架設される梁１ａ、柱２と梁１の間に架設される梁１ｂ、梁１間に架設される梁１ｃの長さが同じにならず、柱２間に架設される梁１ａの長さＬ１＜柱２と梁１の間に架設される梁１ｂの長さＬ２＜梁１間に架設される梁１ｃの長さＬ３となり、共通のスパン間の梁１として同一長さの梁１を共通して使用できないという問題があり、梁１の種類が増え、部材管理、施工が煩雑となり、コストも高くなるという問題がある。
【０００３】
【特許文献１】
実開昭６２−７５１２０号公報
【０００４】
【発明が解決しようとする課題】
本発明は上記の点に鑑みてなされたものであり、柱の巾を小さくして柱形が室内、屋外に露出しないようにできるようにしたものにおいて、柱と梁の間に架設される梁や、梁間に架設される梁として柱間に架設される梁と同一長さの梁を共通して使用でき、架構体を構成する梁の種類が増えず、部材管理、施工が簡略化し、コストが安くなる架構体の構造を提供することを課題とするものである。
【０００５】
【課題を解決するための手段】
上記課題を解決するために本発明に係る架構体の構造は、梁巾Ｍ１よりも外側面部の巾Ｍ２が小さい柱２と、該柱２の外側面部に梁１の長手方向の端面部を接合してなる架構体の構造において、柱２の外側面部の上下方向における梁１と同じ高さ位置に補強プレート３を固着し、柱２の中心Ｏから補強プレート３の外面までの寸法Ｍ３を梁巾Ｍ１の１／２とし、柱２の外側面部に固着した補強プレート３の外面に梁１の端面部を当接して固着して成ることを特徴とするものである。
【０００６】
このような構成とすることで、柱２の外側面部の巾を小さくしてコストの低減を図ると共に柱２の巾を小さくすることで柱形が室内、屋外に露出しないような構成にでき、しかも、このように柱２の外側面部の巾を小さくしたにもかかわらず、梁１と同じ高さ位置に補強プレート３を固着してあることで、補強プレート３部分において梁１を接合できて、柱２への梁１の接合強度を向上させることができるものであり、また、柱２の中心から補強プレート３の外面までの寸法Ｍ３を梁巾Ｍ１の１／２とし、柱２の外側面部に固着した補強プレート３の外面に梁１の端面部を当接して固着してあることで、柱２と梁１の間に架設される梁１ｂや、梁１間に架設される梁１ｃとして柱２間に架設される梁１ａと同一長さの梁１を共通して使用できるものである。
【０００７】
また、柱２が角形鋼管により構成され、柱２の四外側面部の上下方向における梁１と同じ高さ位置に補強プレート３が固着してあることが好ましい。
【０００８】
このような構成とすることで、柱２の四外側面部に梁１が平面視十字状に接合される場合、柱２の三外側面部に梁１が平面視Ｔ字状に接合される場合、柱２の二外側面部にそれぞれ梁１が接合される場合、柱２の一外側面部に梁１が接合される場合のいずれであっても、共通の柱２を使用できるものである。
【０００９】
【発明の実施の形態】
以下、本発明を添付図面に示す実施形態に基づいて説明する。
【００１０】
架構体Ａは柱２と梁１とを接合し、さらに、必要に応じて梁と梁とを接合することで構成してある。
【００１１】
柱２は断面四角形状をした角形鋼管により構成してある。この柱２の外側面部の上下方向における梁１と同じ高さ位置に補強プレート３を固着してある。すなわち、図５（ａ）のように柱２の外側面部の上端部に補強プレート３を固着したり、あるいは、図６（ａ）のような柱２が通し柱のような柱２の場合には外側面部の上下方向の略中間部分（この部分に下階の梁１が接合される）及び上端部（この部分に上階の梁１が接合される）にそれぞれ補強プレート３を固着する。
【００１２】
柱２の上下方向の梁１と同じ高さ位置に補強プレート３を固着するに当たっては、柱２の上下方向の一部の四外側面部のうち少なくとも梁１の長手方向の端面部を接合する梁接合部分に補強プレート３を固着するものであり、図５（ｂ）、図６（ｂ）のように角形鋼管よりなる柱２の上下方向の一部の四外側面部に補強プレート３を固着したり、あるいは、図示を省略しているが柱２の上下方向の一部の三外側面部に補強プレート３を固着したり、あるいは、柱２の上下方向の一部の二外側面部に補強プレート３を固着したり、あるいは、柱２の上下方向の一部の一外側面部に補強プレート３を固着したりするものであり、補強プレート３を固着した部分において該補強プレート３を介して梁１の長手方向の端面部を接合する。
【００１３】
補強プレート３としては例えば、図５（ｂ）、図６（ｂ）のように断面Ｌ字状をしたアングル材を柱２の二外側面部に溶接して固着すると共に他のアングル材を柱２の他の二外側面部に溶接して固着することで、２つのアングル材の取付けにより柱２の四外側面部に補強プレート３を設けたり（つまり２つのアングル材の各２辺がそれぞれ補強プレート３となって柱２の四外側面部にそれぞれ補強プレート３が設けられる）、あるいは、断面Ｌ字状をしたアングル材を柱２の二外側面部に溶接して固着することで、アングル材の取付けにより柱２の二外側面部に補強プレート３を設けたり、あるいは、図示を省略しているが平板状をした鋼材を柱２の上下方向の一部の外側面部に溶接により固着したり（この場合、柱２の四外側面部にそれぞれ平板状をした鋼材を固着したり、あるいは、柱２の三外側面部にそれぞれ平板状をした鋼材を固着したり、あるいは、柱２の二外側面部にそれぞれ平板状をした鋼材を固着したり、あるいは、柱２の一外側面部に平板状をした鋼材を固着したりする）ものである。補強プレート３には柱２にわたるように雌ねじ部４が形成してある。なお、雌ねじ部４としては補強プレート３のみ、あるいは柱２のみに設けてもよい。雌ねじ部４を補強プレート３にのみ設ける場合には柱２には雌ねじ部４と連通する孔を設け、また、雌ねじ部４を柱２にのみ設ける場合には補強プレート３には雌ねじ部４と連通する孔を設ける。
【００１４】
本発明においては、コストの低減、及び、柱形を室内あるいは屋外に露出しないようにするために、構造上許容できる範囲で柱２の外側面部の巾Ｍ２を小さくしてあり、該柱２の外側面部の巾Ｍ２は後述する梁巾Ｍ１よりも小さく設定してあり、また、この柱２の外側面部の上記補強プレート３を設けた部分においては、柱２の中心Ｏから補強プレート３の外面までの寸法Ｍ３が梁巾Ｍ１の１／２となっている。すなわち、図２、図５（ｂ）、図６（ｂ）においてＭ３＝Ｍ１／２となっている。
【００１５】
梁１は断面Ｈ形鋼のような金属製であって、該梁１の長手方向の両端部には連結板５が溶接により固着してある。連結板５にはボルト挿入孔６が設けてある。
【００１６】
しかして、建物の架構体を形成するに当たっては、柱２と梁１とを連結して形成するのである。ここで、柱２に梁１を接合するに当たっては、柱２の補強プレート３を固着した部分に接合するものである。すなわち、図２、図３に示すように柱２の外側面部に固着した補強プレート３の外面に梁１の端面部の連結板５を当接し、連結板５のボルト挿入孔６からボルト７を挿入し、補強プレート３から柱２にわたるように形成した雌ねじ部４に螺合することで柱２の外側面部の補強プレート３を固着した部分に梁１を接合するのである。
【００１７】
建物の架構体を形成する際に使用する梁１としては柱２間に架設される梁１ａだけでなく、平面プランにより図１に示すように柱２と梁１の間に架設される梁１ｂや、梁１間に架設される梁１ｃがある。
【００１８】
柱２間に架設される梁１ａの長手方向の両端面部は前述のようにして柱２の補強プレート３を固着した部分に接合するものである。また、柱２と梁１の間に架設される梁１ｂは、該梁１ｂの長手方向の一端面部を前述の図２、図３ようにして柱２の補強プレート３を固着した部分に接合し、梁１ｂの長手方向の他端面部を図４のように梁１のウェブ部８に固着した連結金具９にボルト７で接合するものである。また、梁１間に架設される梁１ｃは、該梁１ｃの両端面部をそれぞれ図４のように梁１のウェブ部８に固着した連結金具９にボルト７で接合するものである。
【００１９】
連結金具９は図７に示すようなもので、金具本体１１の後端部に固定用縦板部１１ａを設けると共に金具本体１１の前端部に連結用縦板部１１ｂを設けて構成してあり、固定用縦板部１１ａをＨ鋼よりなる梁１のウェブ部８をボルト、ナットにより固着してあって、連結金具９の連結用縦板部１１ｂの外面がＨ鋼よりなる梁１のフランジ部１２の側端面と同一垂直面に位置しており、この連結金具９の連結用縦板部１１ｂに梁１ｂや梁１ｃの長手方向の端面部の連結板５を当接した状態で連結板５のボルト挿入孔６からボルト７を挿入し、連結用縦板部１１ｂに形成した雌ねじ部１３に螺合して接合するものである。
【００２０】
ここで、本発明においては、コストの低減、及び、柱形を室内あるいは屋外に露出しないようにするために、構造上許容できる範囲で柱２の外側面部の巾Ｍ２を小さくし、柱２の外側面部の巾Ｍ２＜梁巾Ｍ１となっているが、上記のように柱２の補強プレート３を固着した部分において梁１と接合するので、柱２への梁１の接合強度を向上させることができるものである。
【００２１】
しかも、柱２の外側面部の巾Ｍ２＜梁巾Ｍ１となっているにもかかわらず、柱２の中心から補強プレート３の外面までの寸法Ｍ３を梁巾Ｍ１の１／２に設定してあるので、柱２と梁１の間に架設される梁１ｂの長さＬ２、梁１間に架設される梁１ｃの長さＬ３がいずれも柱２間に架設される梁１ａの長さＬ１と同じ長さとなる。つまり、図１に一例として示す柱２間に架設される梁１ａの長さＬ１＝柱２と梁１の間に架設される梁１ｂの長さＬ２＝梁１間に架設される梁１ｃの長さＬ３となり、これらの梁１ａ、１ｂ、１ｃとして同一長さの梁１を共通して使用できることになる。
【００２２】
ところで、すでに記載したように柱２の四外側面部の上下方向における梁１と同じ高さ位置に補強プレート３が固着したものにおいては、柱２の四外側面部に梁１が平面視十字状に接合される場合、柱２の三外側面部に梁１が平面視Ｔ字状に接合される場合、柱２の二外側面部にそれぞれ梁１が接合される場合、柱２の一外側面部に梁１が接合される場合のいずれであっても、共通の柱２を使用できることになる。
【００２３】
【発明の効果】
上記のように本発明の請求項１記載の発明にあっては、柱の外側面部の上下方向における梁と同じ高さ位置に補強プレートを固着してあるので、柱の外側面部の巾を狭くしたにもかかわらず、梁の取付け部分において補強プレートにより補強できて梁を強固に接合でき、しかも、柱の中心から補強プレートの外面までの寸法を梁の巾の１／２とし、柱の外側面部に固着した補強プレートの外面に梁の端面部を当接して固着してあるので、柱と梁の間に架設される梁や、梁間に架設される梁として柱間に架設される梁と同一長さの梁を共通して使用できるものであり、この結果、架構体を構成する梁の種類が増えず、部材管理、施工が簡略化し、コストが安くなるものである。
【００２４】
また、請求項２記載の発明にあっては、上記請求項１記載の発明の効果に加えて、柱が角形鋼管により構成され、柱の四外側面部の上下方向における梁と同じ高さ位置に補強プレートが固着してあるので、柱の四外側面部に梁が平面視十字状に接合される場合、柱の三外側面部に梁が平面視Ｔ字状に接合される場合、柱の二外側面部にそれぞれ梁が接合される場合、柱の一外側面部に梁が接合される場合のいずれであっても、共通の柱を使用できるものであり、この結果、架構体を構成する柱の種類が増えず、部材管理、施工が簡略化し、コストが安くなるものである。
【図面の簡単な説明】
【図１】本発明の架構体の構造の一実施形態の平面図である。
【図２】同上の図１のＡ部拡大平面図である。
【図３】同上の図１のＢ−Ｂ線の側面図である。
【図４】同上の図１のＣ−Ｃ線の拡大断面図である。
【図５】同上に用いる柱を示し、（ａ）は正面図であり、（ｂ）は（ａ）のＤ−Ｄ線の拡大断面図である。
【図６】同上に用いる柱の他例を示し、（ａ）は正面図であり、（ｂ）は（ａ）のＥ−Ｅ線の拡大断面図である。
【図７】同上に用いる連結金具を示す斜視図である。
【図８】従来例の柱の外側面部に固着した補強プレートに梁の端面部を接合した状態の断面図である。
【図９】従来例の架構体の平面図である。
【符号の説明】
１  梁
２  柱
３  補強プレート
【図１】
2004346698.tif 000003
【図２】
2004346698.tif 000004
【図３】
2004346698.tif 000005
【図４】
2004346698.tif 000006
【図５】
2004346698.tif 000007
【図６】
2004346698.tif 000008
【図７】
2004346698.tif 000009
【図８】
2004346698.tif 000010
【図９】
2004346698.tif 000011